(57)【要約】　　　（修正有）【課題】本考案は、側溝の受枠に装着されるグレーチングを固定するために使用する部品をグレーチングより外れないように固定して紛失しないようにすると共に、グレーチングをがたつきなく固定することができる固定装置を提供する。【解決手段】グレーチング１下面に取り付けられたストッパー部３はナット５で軸着され、前後可動できる。ナット５のナット溝部６に−ドライバー１０を差し込み、ストッパー部３を前進可動し、ストッパー部３を受枠２下面に取り付けられた収納部９に差し込み、ナット５を締結して固定する。【選択図】　　　　図５
0003097692.tif 000002
【実用新案登録請求の範囲】
【請求項１】
グレーチング下面に前後に可動するように軸着されたストッパー部と、受枠下面に取り付けられ、該ストッパー部を差し込む収納部と、を設けたことを特徴とするグレーチング固定装置。
【考案の詳細な説明】
【０００１】
【考案の属する技術分野】
本考案は、容易に脱着でき、かつがたつき及びずれを防止するグレーチングの固定装置である。
【０００２】
【従来の技術】
側溝に装着されるグレーチングは、車両等の走行によりがたついたり、ずれたりして騒音を発生することがある。こうした騒音の軽減防止対策として従来、グレーチングと側溝或いは受枠との間にゴムや樹脂製の緩衝材を介在させるようにしたものほか、グレーチングの端板にクリップを嵌着して受枠に装着し、クリップの弾発力によりグレーチングのがたつきを防止するようにしたもの（特許文献１）、グレーチングを押さえる押さえ金と、受枠の受け梁に下側より当てられる当て金とをボルトにより連結してグレーチングを固定させるようにしたもの（特許文献２）などが知られる。
【０００３】
【特許文献１】特開２０００−２０４６４７号
【特許文献２】特開２０００−８０７１４号
【０００４】
また、特許文献２の発明を設置しようとすると、グレーチングに切り欠き部を設けなければならなかった。
【０００５】
【考案が解決しようとする課題】
従来のがたつき防止機能を有した金具やゴムは着脱に手間がかかり、作業中にネジ等の備品を紛失することがあった。また、特別にグレーチングに切り欠け部を設ける必要のある場合があり、製作能率が悪かった。
【０００６】
本考案は上記の課題を解決すべく、グレーチングを固定するための装置において、着脱が容易であり、グレーチングに着脱可能に取着される部品をなくして部品が紛失される恐れをなくし、また、グレーチングに切り欠き部を設けなくても設置ができるグレーチングの固定装置を提供することを目的とする。
【０００７】
【課題を解決するための手段】
本考案は、グレーチング下面に前後に可動可能に軸着されたストッパー部と、受枠下面に取り付けられ、該ストッパー部を差し込む収納部と、を設けたことを特徴とする。
【０００８】
本考案の固定装置によると、ストッパー部はグレーチングに設けられ、グレーチングより取り外すことができないため紛失するおそれがない。また、収納部は受枠に設けられ、受枠から取り外すことができないため紛失するおそれがない。しかも、ストッパー部はグレーチング下面に取り付けられ、収納部は受枠下面に取り付けられるため、グレーチングに切り欠け部を設けなくても設置できる。
【０００９】
また操作手段としては、例えばストッパー部をグレーチング下面で軸支し、該ストッパー部と一体化されて上下に突出する軸、該軸には例えばナット等を用いることができ、該軸には溝等が設けられ、該軸にナット等を用いる場合にはナット溝を該軸の溝として用いることができ、該溝等を操作部として例示することができ、該操作部はナットの溝に差し込む−のドライバー等の工具により前後可動操作を行うことができるようにされる。
【００１０】
グレーチングの固定は、操作手段によりストッパー部を収納部に差し込み、軸を締結する。該軸が、例えばナット等を用いる場合には、ナット等を−のドライバー等の工具により締結する。該ストッパー部は収納部に差し込まれることにより可動範囲を拘束され、該軸を締結することにより該ストッパーが軸引張力で浮き上がり受枠下面に密着するので、該ストッパーの可動を不可にし、グレーチングをがたつきなく固定する。
【００１１】
上記考案のストッパー部や収納部は、グレーチングの一ヶ所を固定できるように設けてもよいが、好ましくはグレーチングの複数箇所を固定できるように複数設けられる。
【００１２】
【考案の実施の形態】
図１は、グレーチング１を固定するための本考案固定装置ａ（ストッパー部３及び収納部９）を前後左右に四ヶ所設けたグレーチングについて示すもので、各固定装置ａは、図３に示すように、グレーチング１下面にＵ型板７を溶接等で固着し、Ｕ型板７は図４に示すようにナット等を装着する嵌孔８があり、嵌孔８の大きさは、縦幅は軸となるナット等が嵌合する程度であり、横幅はストッパー部３が前後に可動し、収納部９にストッパー部３が到達できるようにしてある。図３に示すように、ストッパー部３はストッパー４がナット５により軸着されており、ストッパー形状はＺ状もしくは長方形状であってもよい。図２に示すように、収納部９はコの字状型枠であり、ストッパー部３を差し込むことができ、かつストッパー部３が浮き上がった場合に受枠２が押さえ板になるように受枠２下面に溶接等で固着する。また、収納部９は、ストッパー部３の前進可動を係止する板状のものであってもよい。
【００１３】
グレーチング１は、既知のこの種グレーチングと同様、図１に示すように細板状の主部材１ａと、並設される主部材１ａと直交し、主部材１ａに溶接されるロッド状の補助部材１ｂで構成されている。
【００１４】
受枠２に装着したグレーチング１を固定装置ａにより固定するときは、図３に示すストッパー部３に対し、主部材１ａと補助部材１ｂで囲まれるスペースを通して図５に示すように、−のドライバー１０でストッパー４を軸着しているナット５のナット溝部６に差し込み、矢印方向に可動操作する。ストッパー部３が収納部９に収まった状態でナット５を締結する。ナット５を締結することによって、ストッパー３が浮き上がり受枠２下面に密着するので、ストッパーの可動を不可にする。主部材１ａと補助部材１ｂで囲まれるスペースが狭かったとしても、固定作業は問題なく行われる。図６はストッパー部３が収納部９に差し込まれて固定された状態を示す。
【００１５】
【考案の効果】
本考案は、ストッパー部はグレーチングと一体的に設けられ、収納部は受枠に一体的に設けられているため、紛失したり、グレーチング固定時に探し求めるようなことがなくなり、容易に脱着ができる。また、特別にグレーチングに切り欠き部を設けなくても、固定装置を設置できる。
【図面の簡単な説明】
【図１】固定装置ａを備えたグレーチングの平面図。
【図２】固定装置ａを備えたグレーチングの正面図。
【図３】図１のＡ−Ａ線断面図。
【図４】ストッパー構造図。
【図５】ストッパーをドライバーで可動操作するときの態様を示す図。
【図６】固定状態を示す図。
【符号の説明】
１　　グレーチング
１ａ　　主部材
１ｂ　　補助部材
２　　受枠
３　　ストッパー部
４　　ストッパー
５　　ナット
６　　ナット溝部
７　　Ｕ型板
８　　嵌孔
９　　収納部
１０　　ドライバー
【図１】
0003097692.tif 000003
【図２】
0003097692.tif 000004
【図３】
0003097692.tif 000005
【図４】
0003097692.tif 000006
【図５】
0003097692.tif 000007
【図６】
0003097692.tif 000008